(57)【要約】【課題】配管接続部締結部品等のエッジからの配線の保護や配線接続部への水掛りを防止し、安定した配線が可能な貯湯式給湯機を提供すること。【解決手段】貯湯式給湯機５０に内蔵された隣接する２つの配管１２、１４に各々取付可能な配管取付部２１と、２つの配管取付部２１同士を連結する連結部２２と、連結部２２から伸長し、２つの配管取付部２１から所定距離離隔した、貯湯式給湯機５０に内蔵された配線１８を把持するための配線取付部２３と、を有する合成樹脂製の締結部品２０を、備えた。【選択図】    図３
2016142503.tif 000002
【特許請求の範囲】
【請求項１】
貯湯式給湯機に内蔵された隣接する２つの配管に各々取付可能な配管取付部と、
２つの前記配管取付部同士を連結する連結部と、
前記連結部から伸長し、２つの前記配管取付部から所定距離離隔した、前記貯湯式給湯機に内蔵された配線を把持するための配線取付部と、
を有する合成樹脂製の締結部品を、
備えたことを特徴とする貯湯式給湯機。
【請求項２】
前記配線取付部は、
前記配管取付部を前記配管に取付けたとき、前記配管取付部よりも鉛直方向で上方となる位置に形成したことを特徴とする請求項１に記載の貯湯式給湯機。
【請求項３】
前記連結部の、前記配管取付部と前記配線取付部との間となる位置に、
前記配管取付部を前記配管に取付けたとき、鉛直下向きに凸となる凸部を形成したことを特徴とする請求項１または２に記載の貯湯式給湯機。
【請求項４】
一方の前記配管取付部と前記連結部と、他方の前記配管取付部と前記連結部とを別部材で構成し、
各々の前記連結部に形成した複数の係合部を有し、
互いの前記係合部の係合位置を変更することで、前記連結部間の距離を調整可能に構成したことを特徴とする請求項１から３のいずれか１つに記載の貯湯式給湯機。
【発明の詳細な説明】
【技術分野】
【０００１】
本発明は、貯湯式給湯機に関するものであり、詳しくは貯湯式給湯機の内部で用いられる配管や配線の支持や固定方法に関するものである。
【背景技術】
【０００２】
コード、ケーブル、ホースなどの配線配管類を互いに固定するために用いられる配線配管用クリップで、複数のクリップとそれらクリップを連結する連結棒とで構成されたものが広く用いられている。
【０００３】
特許文献１には、配線配管類を互いに固定するために用いられる配線配管用クリップで、曲げ及び振り方向に変形自在な軟質金属により形成された連結棒の両端に、弾発性材料により形成されたクリップを一体成型により連結したものが開示されている。
【先行技術文献】
【特許文献】
【０００４】
【特許文献１】実開昭６３−０６４９８５号公報
【発明の概要】
【発明が解決しようとする課題】
【０００５】
貯湯式給湯機の配線は、配管接続部に用いられる金属製の締結部品や板金部品のエッジからの保護や配管部品に生じる結露水の影響から保護するため、これらとの干渉を避けるべく、内蔵する貯湯タンクを覆っているタンク断熱材へテープにより固定するなどの対応を行っている。また、結露水が配線や配管を伝わって、配線同士を接続するコネクタなどの配線接続部に至り、配線接続部に絶縁不良や腐食等の影響を生じることのないように、配線接続部に至る配線に重力方向で下側となる方向にたるみを持たせて結露水の伝わりを防止していた。特許文献１に記載の構成は、主要な構成部分である連結棒が軟質金属でできているため自由に変形や屈曲できて取付けが容易である反面、強度が不十分であり配管に対して配線を所望の位置に保持するような固定が困難であった。また、合成樹脂のクリップに軟質金属の連結棒をインサート成型するため、成型コストがかかるという問題もあった。
【０００６】
本発明は、上述のような課題を解決するためになされたもので、貯湯式給湯機の内部部品等のエッジから配線を保護し、配線接続部への水掛りを防止し、安定した配線が可能となる貯湯式給湯機を提供することを目的とする。
【課題を解決するための手段】
【０００７】
本発明に係る貯湯式給湯機は、貯湯式給湯機に内蔵された隣接する２つの配管に各々取付可能な配管取付部と、２つの配管取付部同士を連結する連結部と、連結部から伸長し、２つの配管取付部から所定距離離隔した、貯湯式給湯機に内蔵された配線を把持するための配線取付部と、を有する合成樹脂製の締結部品を、備えたものである。
【発明の効果】
【０００８】
本発明によれば、貯湯式給湯機の内部部品等のエッジから配線を保護し、配線接続部への水掛りを防止し、安定した配線が可能となる貯湯式給湯機を得ることができる。
【図面の簡単な説明】
【０００９】
【図１】本発明の実施の形態１の貯湯式給湯機を示す構成図である。
【図２】本発明の実施の形態１のクランパの斜視図である。
【図３】本発明の実施の形態１のクランパに配管と配線を取付けた状態の斜視図である。
【図４】本発明の実施の形態２のクランパの斜視図である。
【図５】本発明の実施の形態３のクランパの分解斜視図である。
【図６】本発明の実施の形態３のクランパの斜視図である。
【図７】本発明の他の実施の形態のクランパに配管と配線を取付けた状態の上面図である。
【図８】本発明の他の実施の形態のクランパに配管と配線を取付けた状態の斜視図である。
【図９】本発明の他の実施の形態のクランパの斜視図である。
【図１０】本発明の他の実施の形態のクランパを配管に取付ける際の状態を示す斜視図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。図１のように、本実施の形態１の貯湯式給湯機５０は、ＨＰユニット１と、貯湯タンクユニット４０とを有する。貯湯タンクユニット４０は、略円筒形状をなす貯湯タンク１０と、略直方体形状なす外装ケース３０とを有している。貯湯タンク１０は、後述する断熱材に覆われた状態で、外装ケース３０内に収容されている。ＨＰユニット１は、ヒートポンプサイクルにより水を加熱して湯を生成する加熱手段として機能する。貯湯タンク１０に貯留された湯は、必要に応じ所定の給湯先に供給される。なお、本発明の加熱手段は、ヒートポンプ式に限定されるものではなく、例えば、貯湯タンク１０内にヒータを設置する構成など、いかなる構成でも良い。
【００１２】
貯湯タンク１０の下部には、給水配管１１と、貯湯タンク１０内の低温水をＨＰユニット１に送るためのＨＰ往き配管１３ａとが接続されている。また、貯湯タンク１０の上部には、ＨＰユニット１により加熱された湯を貯湯タンク１０内へ戻すためのＨＰ戻り配管１３ｂが接続されている。給湯配管１２は、浴室のシャワーや台所の蛇口等の所定の給湯栓（図示せず）に給湯するための配管である。ふろ往き配管１４は、浴槽（図示省略）に給湯するための配管である。
【００１３】
貯湯タンクユニット４０の外装ケース３０の上面は、天板３２で構成されている。また、外装ケース３０の下部には、前面側が引っ込んだけこみ部３１が形成されている。けこみ部３１には、上述した給水配管１１、ＨＰ往き配管１３ａ、ＨＰ戻り配管１３ｂ、給湯配管１２、ふろ往き配管１４の各々を貯湯タンクユニット４０内に引き込むため、または貯湯タンクユニット４０内から引き出すための配管接続部がそれぞれ設けられている。
【００１４】
外装ケース３０の下部には支持脚３５が接続されている。各支持脚３５をコンクリート製の土台Ｃにアンカーボルト（図示省略）で固定することにより、貯湯タンクユニット４０が土台Ｃに据え付けられている。なお、上記の配管接続部および配管接続部に接続された各配管を覆い隠して貯湯タンクユニット４０の意匠性を向上させるために、外装ケース３０の下方には配管カバー（図示省略）が設けられる。
【００１５】
上述の構成を有する貯湯式給湯機５０では、給水配管１１からの給水により貯湯タンク１０内が上層の高温湯と下層の低温水とで常時満水状態に保たれると共に、貯湯タンク１０内の湯水に給水配管１１から常時送水圧が付与される。沸上運転時には、貯湯タンク１０内の下部にある低温水がＨＰ往き配管１３ａを通ってＨＰユニット１内の熱交換器に送られ、熱交換器で沸上げられて高温の湯となる。その湯は、ＨＰ戻り配管１３ｂを通って貯湯タンク１０に戻り、上部から貯湯タンク１０内に流入する。
【００１６】
また、給湯時には、給水配管１１からの送水圧により貯湯タンク１０内の高温の湯が給湯管路に流入し、その高温の湯と給水配管１１からの低温水とが混合弁によって混合されることにより、使用者がリモコン（図示省略）等で設定した給湯温度の湯が生成され、その湯が給湯配管１２あるいはふろ往き配管１４を通って、浴室、台所等の所定の給湯栓あるいは浴槽に供給される。
【００１７】
上述のように貯湯タンクユニット４０の内部には、けこみ部３１から引き込まれた給水配管１１、ＨＰ往き配管１３ａ、ＨＰ戻り配管１３ｂ、給湯配管１２、ふろ往き配管１４の各配管が、貯湯タンク１０と外郭ケース３０との間の空間に配置されることになる。また、貯湯タンクユニット４０に内蔵される貯湯式給湯機５０の動作および制御を行う機能部品類とその配線類についても同様に、貯湯タンク１０と外郭ケース３０との間の空間に配置されることになる。また、貯湯タンクユニット４０の内部の各配管はその両端２ヶ所を金属製の配管接続部締結部品によって相手部品に接続されている。配管は組み立ての際の利便性を考慮し、相手部品との接続部である配管接続部で水密性を確保しつつ、ある程度の遊びをもって取付け可能に設計されているため、その相対的な位置関係は組み立てを行う作業者の組立作業によってばらつきが生じることがある。また、配管の相対的な位置関係が変動することで隣接する配管同士やその他の部品との接触の可能性も生じる。
【００１８】
また、貯湯タンクユニット４０の内部には上述の金属製の配管接続部締結部品以外にも
機能部品を固定するための板金のエッジなどが存在する。これらのエッジに配線が接触しないようにする必要がある。また、貯湯タンクユニット４０の内部の雰囲気温度と配管内を流れる湯水の温度には温度差があるので、その温度差により配管表面に結露水が発生することがあり、配線同士を接続しているコネクタなどの接続部へ結露水が侵入することを防ぐ必要もある。従来は配線の接続部を保護するため、配線長さに余裕を持たせ配線接続部より下部となる配線にたるみができるようにして結露水が接続部まで達しないように配線をテープで貯湯タンク１０を覆う保温材に固定していた。また、配線接続部を貯湯タンク１０の保温材にテープで覆うように固定し、テープによって水掛りを防止していた。テープによって貯湯タンク１０の保温材に配線を固定する場合は、テープ貼付箇所の手前に配管や機能部品などがある場合が多く、作業性が悪いことや、貼付位置にばらつきが生じてしまっていた。
【００１９】
図２は、本発明の実施の形態１の貯湯式給湯機５０における隣接する配管と機能部品の配線を固定するための合成樹脂製の締結部品であるクランパ２０を示している。クランパ２０は、隣接する配管に各々取付可能な配管取付部２１と、２つの配管取付部２１を連結する連結部２２と、連結部２２から伸長し、２つの配管取付部２１から所定距離離隔するように構成された、配線を把持するための配線取付部２３を備えている。また、クランパ２０の配線取付部２３は、配管取付部２１を配管に取付けた際に、鉛直方向で上方となる位置に設けられている。
【００２０】
次に、動作について説明する。図３は、外郭ケース３０の内部で隣接する給湯配管１２と、ふろ往き配管１４と、貯湯式給湯機５０の動作および制御を行う貯湯タンクユニット４０に内蔵された機能部品類の配線１８にクランパ２０を取り付けた状態を示す図である。本実施の形態では、クランパ２０の配管取付部２１を隣接する給湯配管１２と、ふろ往き配管１４に取付けて固定し、さらに配線取付部２３に配線１８を固定した状態を示すものである。クランパ２０で給湯配管１２と、ふろ往き配管１４同士を固定することで、配管同士の回転や組立ばらつきによる配管と配線との相対位置関係の変動を抑制することができる。クランパ２０の配線取付部２３が配管取付部２１よりも上方にあるので、給湯配管１２と、ふろ往き配管１４からの結露水がクランパ２０から配線１８まで伝わることがない。また、２つの配管取付部２１から配線取付部２３は所定距離離隔しているため、配線取付部２３がどちらか一方の配管取付部２１に近寄っている場合よりも、給湯配管１２と、ふろ往き配管１４に配線１８が接触する可能性を低くすることができる。図３のように配線同士の接続部付近の配線を配線固定部２３に固定し、配線１８にたるみを持たせれば配線１８が給湯配管１２と、ふろ往き配管１４に接触しても配線接続部には水が伝わらない。また、本発明によれば、配線を支持固定するための支持板金等が近くに無い場合でも給湯配管１２と、ふろ往き配管１４があれば配線１８を固定することができる。なお、上述の例では隣接する２つの配管を給湯配管１２と、ふろ往き配管１４の場合で説明したが、他の２つの配管を任意に選択してもよく、同様の効果を奏する。また、以下の実施の形態においても同様である。
【００２１】
以上説明したように、本実施の形態では、支持板金等が無い場合でも、配線１８や給湯配管１２と、ふろ往き配管１４を固定することができ、給湯配管１２と、ふろ往き配管１４の組立ばらつきを抑制し、配線１８のエッジに対する保護と水掛りを防止することができる。
【００２２】
実施の形態２．
次に本発明の他の実施の形態について説明する。図４は、本発明の実施の形態２のクランパ２０を示す図である。同図に示すクランパ２０は、連結部２２の配管取付部２１と配線取付部２３の間に、配管へ取付けた時に鉛直方向下側に凸となる凸部２４を形成した点が前述の実施の形態１との相違点であり、実施の形態１において説明した図１、２、３と同一部分または相当部分は同一符号を付し説明を省略する。
【００２３】
本実施の形態２の構成によれば、クランパ２０に給湯配管１２と、ふろ往き配管１４を取り付けたとき、給湯配管１２と、ふろ往き配管１４からの結露水は配管取付部２１から連結部２２に伝わり、その後凸部２４から下へ落下するので、配線１８に結露水が伝わるのを防止することができる。
【００２４】
以上のように、本実施の形態２では、実施の形態１での効果に加え、凸部２４の作用により、より確実に配線１８への水掛りを防止することができる。
【００２５】
実施の形態３．
次に本発明の他の実施の形態について説明する。図５は、本発明の実施の形態３のクランパ２０を示す図である。同図に示すクランパ２０は、配管取付部２１と連結部２２ａ、配管取付部２１と連結部２２ｂと配線取付部２３の２部品で構成されており、連結部２２ａ、２２ｂを係合し連結することで長さが調節可能な構成となっている点が実施の形態１との相違点であり、実施の形態１において説明した図１、２、３と同一部分または相当部分は同一符号を付し説明を省略する。
【００２６】
連結部２２ａには複数の穴２５があいている。連結部２２ｂには連結部２２ａの穴２５と係合するような凸部２６が複数備えられている。これらの穴２５と凸部２６を給湯配管１２と、ふろ往き配管１４の間隔に合わせて係合させることで、クランパ２０の連結部２２の長さを変えることができる。また、凸部２６を複数設けることにより、連結部の長さを調整したときに連結部同士を確実に固定できる。１か所固定であると、係合部で回転するなどして確実な固定ができない。係合後の連結したクランパ２０の斜視図を図６に示す。
【００２７】
以上説明したように、本実施の形態では、給湯配管１２と、ふろ往き配管１４の位置をクランパ２０の配管取付部２１の間隔に合わせることなく設計することができ、支持板金等が無い場合にも、配線１８や配管１５、１６を固定することができ、給湯配管１２と、ふろ往き配管１４の組立ばらつきを抑制し、配線１８のエッジに対する保護と水掛りを防止することができる。
【００２８】
以上、本発明の貯湯式給湯機について実施の形態を挙げて説明したが、本発明は上記の形態に限定されるものではない。例えば、配線取付部２３の位置について、本実施の形態では、配管取付部２１の鉛直方向上側に配線取付部２３を設け、配管取付部２１の間を配線１８が通る場合を中心にして説明したが、例えば図７、図８で示すように、配線取付部２３を配管取付部２１より鉛直方向上側で、かつ、クランパ２０を取り付けたとき、上面から見て配管取付部２１よりも外側になるように配置して、クランパ２０を取り付けた２本の配管（給湯配管１２と、ふろ往き配管１４）の外側を配線１８が通るように構成してもよい。これにより、配管同士の距離が近い場合の配線１８の給湯配管１２と、ふろ往き配管１４からの水掛り防止に効果を奏する。図７は、給湯配管１２と、ふろ往き配管１４の外側に配線１８を通すためのクランパ２０取付時の上面図であり、図８は、図７の斜視図である。
【００２９】
また、配管取付部２１の開口部について、前述の実施の形態１から３では、連結部２２と反対側に開口部を設ける構成を示して、２つの配管（給湯配管１２と、ふろ往き配管１４）の間を広げるようにして取り付ける場合を中心にして説明したが、例えば図９のように、配管取付部２１の開口部を同一向きとなるようにし、配管への取り付けの際に給湯配管１２と、ふろ往き配管１４を移動させることなく同じ方向から取り付けられるように構成してもよい。図９は、配管取付部２１の開口部を同一向きにしたクランパ２０の斜視図である。図１０のように、配管取付部２１の開口部を同一向きにしたことにより、給湯配管１２と、ふろ往き配管１４を動かすことなく１方向からクランパ２０を取付けることができるため、組立作業性を向上させることができる。また、クランパ２０の取付時に配管を動かす必要が無いため、配管の接続部等に負荷をかけることがないという効果も奏する。
【００３０】
また連結部２２について、本実施の形態３では、クランパ２０を２部品にし、連結部２２の穴２５と凸部２６を係合させて連結部２２の長さを変更できるクランパ２０の構成を説明したが、例えば、連結部２２の係合部をコの字状にし、その内側の面を鋸屋根状の面とし、必要な分だけ係合部を押し込むことにより長さ調整が可能な形状としてもよい。これにより、連結部２２の長さ調節がより細かく調整可能となる。
【００３１】
また配線取付部２３について、本実施の形態１から３では、配線取付部２３が１つの場合について説明したが、これに限らず、１つのクランパ２０に配線取付部２３が２つ以上あってもよい。このように構成すれば、２つ以上の配線取付部２３を分けて利用することにより種類の違う配線を分けて取付できる。また、給湯機の組立の段階に応じた取付箇所の使い分けができる。また、複数設けた配線取付部２３の伸長する方向をそれぞれ変えることで、配線の取り付け状態での向きを変えることも可能となる。
【符号の説明】
【００３２】
１  ＨＰユニット、１０  貯湯タンク、１１  給水配管、１２  給湯配管、
１３ａ  ＨＰ往き配管、１３ｂ  ＨＰ戻り配管、１４  ふろ往き配管、
１８  配線、２０  クランパ、２１  配管取付部、
２２  連結部、２３  配線取付部、２４  凸部、２５  穴、２６  凸部、
３０  外装ケース、３１  けこみ部、３２  天板、３５  支持脚、
４０  貯湯タンクユニット、５０  貯湯式給湯機
【図１】
2016142503.tif 000003
【図２】
2016142503.tif 000004
【図３】
2016142503.tif 000005
【図４】
2016142503.tif 000006
【図５】
2016142503.tif 000007
【図６】
2016142503.tif 000008
【図７】
2016142503.tif 000009
【図８】
2016142503.tif 000010
【図９】
2016142503.tif 000011
【図１０】
2016142503.tif 000012